(57)【要約】【課題】喫食具が専用スペースに収容され、輸送中にも食品に接触して汚れることが無く、衛生的に取り出し易い包装用容器の提供。【解決手段】熱可塑性樹脂を成形してなる容器本体と、該容器本体の開口部に取り付けて容器開口を塞ぐ蓋体と、容器本体に設けた喫食具収納部に収容される喫食具とからなる包装用容器であって、容器本体は、その開口部と食品収容部との間の一部に段部を設け、該段部に凹部を形成して喫食具収容部とし、該喫食具収容部の長手方向略中央部を下方に窪ませて喫食具摘み部とし、且つ該喫食具摘み部の両側に上方向に膨出する仕切り壁を有し、蓋体は、容器本体の開口部に嵌合する嵌合部を有し、該嵌合部又はその近傍に、喫食具収容部に喫食具を収容した容器本体の開口部に取り付けて閉蓋したときに、喫食具に接触又は近接して喫食具が喫食具収容部から外に移動するのを防止する係合部を有する。【選択図】図２
0003134311.tif 000002
【実用新案登録請求の範囲】
【請求項１】
熱可塑性樹脂を成形してなる容器本体と、該容器本体の開口部に取り付けて容器開口を塞ぐ蓋体と、容器本体に設けた喫食具収納部に収容される喫食具とからなる包装用容器であって、
容器本体は、その開口部と食品収容部との間の一部に段部を設け、該段部に凹部を形成して喫食具収容部とし、該喫食具収容部の長手方向略中央部を下方に窪ませて喫食具摘み部とし、且つ該喫食具摘み部の両側に上方向に膨出する仕切り壁を有し、
蓋体は、容器本体の開口部に嵌合する嵌合部を有し、該嵌合部又はその近傍に、喫食具収容部に喫食具を収容した容器本体の開口部に取り付けて閉蓋したときに、喫食具に接触又は近接して喫食具が喫食具収容部から外に移動するのを防止する係合部を有することを特徴とする包装用容器。
【考案の詳細な説明】
【技術分野】
【０００１】
本考案は、熱可塑性樹脂を成形してなる容器本体と、該容器本体の開口部に取り付けて容器開口を塞ぐ蓋体と、容器本体に設けた喫食具収納部に収容される喫食具とからなる包装用容器に関する。本考案の包装用容器は、喫食具を用いて喫食する食品、例えば、菓子類、ゼリー、カットフルーツ、シュウマイなどの包装用容器として好適である。
【背景技術】
【０００２】
菓子類、ゼリー、カットフルーツ、シュウマイなどの包装用容器においては、容器内に前記食品とともに、該食品を喫食する際に使用する、スプーン、フォーク、ピック、爪楊枝などの喫食具を収容する包装形態が知られている。
【０００３】
従来、この種の包装用容器としては、例えば、特許文献１〜３に開示された容器が提案されている。
【特許文献１】実開昭５３−６３３３６号公報
【特許文献２】特開２００２−１７３１７７号公報
【特許文献３】実用新案登録第２５７１３９５号公報
【考案の開示】
【考案が解決しようとする課題】
【０００４】
従来の喫食具付き容器は、特許文献１に開示されているように、喫食具を食品と同じ収容部に収容している場合が多い。カットしたパイナップルなどのカットフルーツを収容する容器の場合、ほとんどは喫食具をカットフルーツと一緒に投げ入れ状態とするか、喫食具無しで販売されている。しかしながら、喫食具をカットフルーツと一緒に投げ入れた場合、喫食具が汚れたり、不衛生であるので、喫食具の収容形態を工夫することが行われている。
【０００５】
特許文献２，３では、容器の表面部やフランジ部に専用の収容部を設けることが開示されている。しかし、この構造では、喫食具を取り出すときに、その頭部を押し下げて浮かび上がった先端部を摘むことで喫食具を取り出すので、食品に直接触れる先端部に指が接触し、衛生的でない。
【０００６】
本考案は前記事情に鑑みてなされ、喫食具が専用スペースに収容され、輸送中にも食品に接触して汚れることが無く、衛生的に取り出し易い包装用容器の提供を目的とする。
【課題を解決するための手段】
【０００７】
前記目的を達成するため、本考案は、熱可塑性樹脂を成形してなる容器本体と、該容器本体の開口部に取り付けて容器開口を塞ぐ蓋体と、容器本体に設けた喫食具収納部に収容される喫食具とからなる包装用容器であって、
容器本体は、その開口部と食品収容部との間の一部に段部を設け、該段部に凹部を形成して喫食具収容部とし、該喫食具収容部の長手方向略中央部を下方に窪ませて喫食具摘み部とし、且つ該喫食具摘み部の両側に上方向に膨出する仕切り壁を有し、
蓋体は、容器本体の開口部に嵌合する嵌合部を有し、該嵌合部又はその近傍に、喫食具収容部に喫食具を収容した容器本体の開口部に取り付けて閉蓋したときに、喫食具に接触又は近接して喫食具が喫食具収容部から外に移動するのを防止する係合部を有することを特徴とする包装用容器を提供する。
【考案の効果】
【０００８】
本考案の包装用容器は、容器本体に、その開口部と食品収容部との間の一部に段部を設け、該段部に凹部を形成して喫食具収容部とし、該喫食具収容部の長手方向略中央部を下方に窪ませて喫食具摘み部とし、且つ該喫食具摘み部の両側に上方向に膨出する仕切り壁を設け、蓋体に、喫食具収容部に喫食具を収容した容器本体の開口部に取り付けて閉蓋したときに、喫食具に接触又は近接して喫食具が喫食具収容部から外に移動するのを防止する係合部を設けたことによって、喫食具が専用スペースに収容され、輸送中にも食品に接触して汚れることが無く、衛生的であり、且つ開蓋時に喫食具を取り出し易い。
【考案を実施するための最良の形態】
【０００９】
以下、図面を参照して本考案の包装用容器の実施形態を説明する。
図１及び図２は、本考案の包装用容器の一実施形態を示し、図１は包装用容器１の閉蓋時の斜視図、図２は包装用容器１の分解斜視図である。
また図３は、本実施形態の容器本体２を示し、（ａ）は平面図、（ｂ）は正面図、（ｃ）は右側面図である。
また図４は、本実施形態の蓋体３を示し、（ａ）は平面図、（ｂ）は正面図、（ｃ）は右側面図である。
これらの図中、符号１は包装用容器、２は容器本体、３は蓋体、４は喫食具、５は開口部、６は段部、７は喫食具収容部、８は喫食具摘み部、９は仕切り壁、１０は食品収容部、１１は嵌合部、１２はフランジ、１３はドーム状部、１４は係合部である。
【００１０】
本実施形態の包装用容器１は、図１及び図２に示すように、熱可塑性樹脂を成形してなる容器本体２と、該容器本体２の開口部５に嵌合して容器開口を塞ぐ蓋体３と、容器本体２に設けた喫食具収納部７に収容される喫食具４とからなっている。
【００１１】
容器本体２は、図３に示すように、その開口部５と食品収容部１０との間の一部に段部６を設け、該段部６に凹部を形成して喫食具収容部７とし、該喫食具収容部７の長手方向略中央部を下方に窪ませて喫食具摘み部８とし、且つ該喫食具摘み部８の両側に上方向に膨出する仕切り壁９を有している。
【００１２】
蓋体３は、容器本体２の開口部５に嵌合する嵌合部１１を有し、該嵌合部又はその近傍に、喫食具収容部７に喫食具４を収容した容器本体２の開口部５に取り付けて閉蓋したときに、喫食具４に接触又は近接して喫食具４が喫食具収容部７から外に移動するのを防止する係合部１４を有している。なお、本実施形態では、蓋体３の嵌合部１１の一部を係合部１４として利用している場合を示すが、嵌合部１１と別に係合部１４を設けることも可能である。
【００１３】
本実施形態の包装用容器１を構成している容器本体２と蓋体３とは、熱可塑性樹脂を成形してなり、この熱可塑性樹脂としては、例えば、ポリエチレン系樹脂やポリプロピレン系樹脂などのポリオレフィン系樹脂、ポリスチレン系樹脂、ポリエチレンテレフタレート系樹脂などが挙げられる。これらの容器本体２と蓋体３とは、単層の樹脂シートを熱成形して作製される他、複数層の積層樹脂シートを熱成形して作製してもよく、容器本体２は、その中に印刷層を含む構成としてもよい。
【００１４】
本実施形態では、喫食具４として合成樹脂製のフォーク類を例示しているが、これに限らず、食品収容部１０に収容する食品の種類に応じて、例えば、スプーン、ピック、爪楊枝などの喫食具を収容可能である。また喫食具４の材質は、合成樹脂に限定されず、木材、金属などであってもよい。
【００１５】
本実施形態の包装用容器１は、容器本体２の食品収容部１０に、カットフルーツなどの食品を収容し、且つ喫食具収容部７に喫食具４を収容し、その後、開口部５に蓋体３を被せ、蓋体３の嵌合部１１を開口部５に嵌合することによって閉蓋する。なお、開口部５と嵌合部１１の嵌合構造は、下方に膨出させた凸条を有する嵌合部１１を開口部５に嵌め入れる本例示の嵌合構造に限定されることなく、従来より包装用容器の分野で周知の各種の内嵌合公式、外嵌合方式、内外嵌合方式などを適宜採用することができる。
【００１６】
図１に示す閉蓋状態において、喫食具収容部７に収容された喫食具４は、喫食具収容部７の食品収容部１０側に設けた仕切り壁９によって食品収容部１０側への移動が規制されているとともに、蓋体３の嵌合部１１の一部である係合部１４が上面側に近接し、上方向への移動が規制されることから、喫食具収容部７内に安定して保持される。この閉蓋状態において、容器の運搬時や陳列時、或いは商品を購入後の消費者の取り扱い時に生じる振動や衝撃が加わったとしても、喫食具収容部７から喫食具４が外れて移動してしまうことがない。
【００１７】
この包装用容器１は、容器本体２に、その開口部５と食品収容部１０との間の一部に段部６を設け、該段部に凹部を形成して喫食具収容部とし、該喫食具収容部の長手方向略中央部を下方に窪ませて喫食具摘み部とし、且つ該喫食具摘み部の両側に上方向に膨出する仕切り壁を設け、蓋体に、喫食具収容部に喫食具を収容した容器本体の開口部に取り付けて閉蓋したときに、喫食具に接触又は近接して喫食具が喫食具収容部から外に移動するのを防止する係合部を設けたことによって、喫食具が専用スペースに収容され、輸送中にも食品に接触して汚れることが無く、衛生的であり、且つ開蓋時に喫食具を取り出し易い。
【図面の簡単な説明】
【００１８】
【図１】本考案の包装用容器の一実施形態を示し、閉蓋状態の包装用容器の斜視図である。
【図２】本考案の包装用容器の一実施形態を示し、包装用容器の分解斜視図である。
【図３】本実施形態の容器本体を示し、（ａ）は平面図、（ｂ）は正面図、（ｃ）は右側面図である。
【図４】本実施形態の蓋体を示し、（ａ）は平面図、（ｂ）は正面図、（ｃ）は右側面図である。
【符号の説明】
【００１９】
１…包装用容器、２…容器本体、３…蓋体、４…喫食具、５…開口部、６…段部、７…喫食具収容部、８…喫食具摘み部、９…仕切り壁、１０…食品収容部、１１…嵌合部、１２…フランジ、１３…ドーム状部、１４…係合部。
【図１】
0003134311.tif 000003
【図２】
0003134311.tif 000004
【図３】
0003134311.tif 000005
【図４】
0003134311.tif 000006